【手続補正書】
【提出日】平成18年7月26日(2006.7.26)
【手続補正１】
【補正対象書類名】特許請求の範囲
【補正対象項目名】全文
【補正方法】変更
【補正の内容】
【特許請求の範囲】
【請求項１】
下記一般式（１）
【化１】
2006012652.tif 000001
（式中、Ｒは重合可能な不飽和結合を有する化合物が重合した有機基、Ｑは前記Ｒと単結合を介して結合するｎ＋１価の有機基、Ｚはカチオンに対してイオン結合をし得る官能基又は配位能を有する官能基、Ｍk+はｋ価のカチオン、ｎ，ｍは１以上の整数であり、前記Ｚとカチオンとはイオン結合又は配位結合を有する。）で示される構造単位を含む重合体部分と、付加重合性単量体の重合体部分とを含有するブロック共重合体を有することを特徴とするカチオン伝導体。
【請求項２】
下記一般式（２）
【化２】
2006012652.tif 000002
（式中、Ｒは重合可能な不飽和結合を有する化合物が重合した有機基、Ｓは前記Ｒと結合する有機基、Ｔは前記Ｓと単結合を介して結合するｎ＋１価の有機基、Ｚはカチオンに対してイオン結合をし得る官能基又は配位能を有する官能基、Ｍk+はｋ価のカチオン、ｎ，ｍは１以上の整数であり、前記Ｚとカチオンとはイオン結合又は配位結合を有する。）で示される重合前のＲがスチリル基である構造単位を含む重合体部分と、付加重合性単量体として酢酸ビニル，イソブチレン，イソブチルビニルエーテル，エチレンを用いた重合体部分とを含有するブロック共重合体を有することを特徴とするカチオン伝導体。
【請求項３】
下記一般式（３）
【化３】
2006012652.tif 000003
（式中、Ｒ1，Ｒ2は重合可能な不飽和結合を有する化合物が重合した有機基、Ｑは前記
Ｒ1 と単結合を介して結合するｎ＋１価の有機基、Ｚはカチオンに対してイオン結合をし得る官能基又は配位能を有する官能基、Ｍk+はｋ価のカチオン、ｎ，ｍは１以上の整数、ｉは重合度であり、前記Ｚとカチオンとはイオン結合又は配位結合を有する。）で示される共重合体においてＲ1，Ｒ2が付加重合可能な不飽和結合を持つ有機基の共重合体であり、その共重合時の配列が交互共重合体を有することを特徴とするカチオン伝導体。
【請求項４】
下記一般式（４）
【化４】
2006012652.tif 000004
（式中、Ｒ1，Ｒ2は重合可能な不飽和結合を有する化合物が重合した有機基、Ｓは前記
Ｒ1 と結合する有機基、Ｔは前記Ｓと単結合を介して結合するｎ＋１価の有機基、Ｚはカチオンに対してイオン結合をし得る官能基又は配位能を有する官能基、Ｍk+はｋ価のカチオン、ｎ，ｍは１以上の整数、ｉは重合度であり、前記Ｚとカチオンとはイオン結合又は配位結合を有する。）で示される重合前のＲ1，Ｒ2が付加重合可能な不飽和結合を持つ有機基の共重合体であり、その共重合時のＲ1がスチリル基、重合後にＲ2となる単量体としてマレイン酸無水物，フェニルマレイン酸イミド，メチルマレイン酸無水物，シトラコン酸無水物，アクリロニトリル，フマル酸ジエチル，ビニリデンシアニド，ｐ−ニトロスチレン，メチルビニルケトン，メタクリロニトリルを用いた交互共重合体を有することを特徴とするカチオン伝導体。
【請求項５】
下記一般式（５）
【化５】
2006012652.tif 000005
（式中、Ｒは重合可能な不飽和結合を有する化合物が重合した有機基、Ｑは前記Ｒと単結合を介して結合するｎ＋１価の有機基、Ｚはカチオンに対してイオン結合をし得る官能基又は配位能を有する官能基、Ｍk+はｋ価のカチオン、ｎ，ｍは１以上の整数であり、前記Ｚとカチオンとはイオン結合又は配位結合を有する。）で示される重合体と異なる種類の重合体との混合体を有することを特徴とするカチオン伝導体。
【請求項６】
下記一般式（６）
【化６】
2006012652.tif 000006
（式中、Ｒは重合可能な不飽和結合を有する化合物が重合した有機基、Ｓは前記Ｒと結合する有機基、Ｔは前記Ｓと単結合を介して結合するｎ＋１価の有機基、Ｚはカチオンに対してイオン結合をし得る官能基又は配位能を有する官能基、Ｍk+はｋ価のカチオン、ｎ，ｍは１以上の整数であり、前記Ｚとカチオンとはイオン結合又は配位結合を有する。）で示される重合体と異なる種類の重合体との混合体を有することを特徴とするカチオン伝導体。
【請求項７】
前記一般式（２）又は前記一般式（４）又は前記一般式（６）における前記Ｔがアリール基を有することを特徴とする請求項２又は４又は６記載のカチオン伝導体。
【請求項８】
前記一般式（１）又は前記一般式（３）又は前記一般式（５）における前記Ｑがアリール基を有することを特徴とする請求項１又は３又は５記載のカチオン伝導体。
【請求項９】
前記一般式（２）又は前記一般式（４）又は前記一般式（６）における前記Ｓがアミド基であることを特徴とする請求項２又は４又は６記載のカチオン伝導体。
【請求項１０】
前記一般式（１）乃至（６）における前記Ｚがヒドロキシイオン残基であることを特徴とする請求項１乃至６記載のカチオン伝導体。
【請求項１１】
前記一般式（１）乃至（６）における前記Ｚがメトキシ基であることを特徴とする請求項１乃至６記載のカチオン伝導体。
【請求項１２】
前記一般式（１）乃至（６）における前記カチオンＭk+がリチウムイオンであることを特徴とする請求項１乃至６に記載のカチオン伝導体。
【請求項１３】
前記一般式（１）乃至（６）における前記Ｚが１価のアニオン残基であり、該アニオン残基に前記カチオンＭk+が配位していることを特徴とする請求項１乃至６に記載のカチオン伝導体。
【請求項１４】
請求項２又は４又は６において、前記Ｔに含まれるアリール基のアミド基への結合位置に対し前記一般式（２）又は前記一般式（４）又は前記一般式（６）における前記Ｚの結合位置がオルトの位置にあることを特徴とするカチオン伝導体。
【請求項１５】
請求項１又は３又は５において、前記Ｑに含まれるアリール基の前記Ｒ又は前記Ｒ1 への結合位置に対し前記一般式（１）又は前記一般式（３）又は前記一般式（５）における前記Ｚの結合位置がオルトの位置にあることを特徴とするカチオン伝導体。
【請求項１６】
リチウムの吸蔵放出が可能な正極活物質を有する正極と、リチウムの吸蔵放出が可能な負極活物質を有する負極と、前記正極及び前記負極がポリマー電解質を介して巻回又は積層されたリチウム二次電池において、前記ポリマー電解質が請求項１乃至１５のいずれかに記載のカチオン伝導体を有することを特徴とするリチウム二次電池。
【手続補正２】
【補正対象書類名】明細書
【補正対象項目名】００１１
【補正方法】変更
【補正の内容】
【００１１】
【化１】
2006012652.tif 000007
（式中、Ｒは重合可能な不飽和結合を有する化合物が重合した有機基、Ｑは前記Ｒと単結合を介して結合するｎ＋１価の有機基、Ｚはカチオンに対してイオン結合をし得る官能基又は配位能を有する官能基、Ｍk+はｋ価のカチオン、ｎ，ｍは１以上の整数であり、前記Ｚとカチオンとはイオン結合又は配位結合を有する。）で示される構造単位を含む重合体部分と、付加重合性単量体の重合体部分とを含有するブロック共重合体を有することを特徴とするカチオン伝導体。
【手続補正３】
【補正対象書類名】明細書
【補正対象項目名】００１３
【補正方法】変更
【補正の内容】
【００１３】
【化２】
2006012652.tif 000008
（式中、Ｒ1，Ｒ2は重合可能な不飽和結合を有する化合物が重合した有機基、Ｑは前記
Ｒ1 と単結合を介して結合するｎ＋１価の有機基、Ｚはカチオンに対してイオン結合をし得る官能基又は配位能を有する官能基、Ｍk+はｋ価のカチオン、ｎ，ｍは１以上の整数、ｉは重合度であり、前記Ｚとカチオンとはイオン結合又は配位結合を有する。）で示される共重合体においてＲ1，Ｒ2が付加重合可能な不飽和結合を持つ有機基の共重合体であり、その共重合時の配列が交互共重合体を有することを特徴とするカチオン伝導体。
【手続補正４】
【補正対象書類名】明細書
【補正対象項目名】００１５
【補正方法】変更
【補正の内容】
【００１５】
【化３】
2006012652.tif 000009
（式中、Ｒは重合可能な不飽和結合を有する化合物が重合した有機基、Ｑは前記Ｒと単結合を介して結合するｎ＋１価の有機基、Ｚはカチオンに対してイオン結合をし得る官能基又は配位能を有する官能基、Ｍk+はｋ価のカチオン、ｎ，ｍは１以上の整数であり、前記Ｚとカチオンとはイオン結合又は配位結合を有する。）で示される重合体と異なる種類の重合体との混合体から形成されたことを特徴とするカチオン伝導体。
【手続補正５】
【補正対象書類名】明細書
【補正対象項目名】００２３
【補正方法】変更
【補正の内容】
【００２３】
【化５】
2006012652.tif 000010
（式中、Ｒは重合可能な不飽和結合を有する化合物が重合した有機基、Ｓは前記Ｒに結合し、かつＺが結合したベンゼン誘導体に対して単結合を介して結合する有機基、Ｚはカチオンに対してイオン結合をし得る官能基又は配位能を有する官能基、Ｍk+はｋ価のカチオン、ｎ，ｍは１以上の整数であり、前記Ｚとカチオンとはイオン結合又は配位結合を有する。）で示される構造単位を含む重合体部分と、付加重合性単量体の重合体部分とを含有するブロック共重合体を有することを特徴とするカチオン伝導体。
【手続補正６】
【補正対象書類名】明細書
【補正対象項目名】００４７
【補正方法】変更
【補正の内容】
【００４７】
【化７】
2006012652.tif 000011
（式中、Ｒ1，Ｒ2は重合可能な不飽和結合を有する化合物が重合した有機基、Ｓは前記
Ｒ1 と結合する有機基、Ｔは前記Ｓと単結合を介して結合するｎ＋１価の有機基、Ｚはカチオンに対してイオン結合をし得る官能基又は配位能を有する官能基、Ｍk+はｋ価のカチオン、ｎ，ｍは１以上の整数、ｉは重合度であり、前記Ｚとカチオンとはイオン結合又は配位結合を有する。）で示される重合前のＲ1，Ｒ2が付加重合可能な不飽和結合を持つ有機基を含有する交互共重合体を有することを特徴とするカチオン伝導体である。
【手続補正７】
【補正対象書類名】明細書
【補正対象項目名】００５１
【補正方法】変更
【補正の内容】
【００５１】
【化８】
2006012652.tif 000012
（式中、Ｒ1，Ｒ2は重合可能な不飽和結合を有する化合物が重合した有機基、Ｓは前記
Ｒ1 に結合し、かつＺが結合したベンゼン誘導体に対して単結合を介して結合する有機基、Ｚはカチオンに対してイオン結合をし得る官能基又は配位能を有する官能基、Ｍk+はｋ価のカチオン、ｎ，ｍは１以上の整数であり、ｉは重合度であり、前記Ｚとカチオンとはイオン結合又は配位結合を有する。）で示される重合前のＲ1，Ｒ2が付加重合可能な不飽和結合を持つ有機基を含有する交互共重合体を有することを特徴とするカチオン伝導体である。